(57)【要約】【課題】外カバーを本体基部から容易に取り外すことができ、さらに不適正な再使用を防止できるレンズ付きフイルムユニットを提供する。【解決手段】カートリッジ室２１及びフイルムロール室２３の前面には、前カバー１７に向かって突出するとともに中空部３１ａを備えた突起３１が形成されている。また、前カバー１７には開口部３２ａと段差部３２ｂとから構成された開口３２が形成されている。突起３１の開口部３２ａから突き出した部分に熱かしめヘッド３３を押し当てることによって、突起３１の先端部には、かしめ頭が形成され、前カバー１７は、かしめ頭とカートリッジ室２１の外壁３６によってかしめられる。同様にして、フイルムロール室２３に設けられた突起３１にもかしめ頭を形成し、前カバーをかしめる。前カバー１７を本体基部１５から取り外す際には、外壁３６と一体に形成された突起３１が破壊される。【選択図】　　　　図３
2004126188.tif 000002
【特許請求の範囲】
【請求項１】
未露光の写真フイルムを収納するフイルムロール室と、写真フイルムカートリッジを収納するカートリッジ室とが形成された本体基部と、前記本体基部を覆う外カバーとを有するレンズ付きフイルムユニットにおいて、
前記本体基部に前記外カバーに向かって突出した突起を一体に形成し、前記外カバーに、突起が嵌合するように形成された開口を設け、この開口に嵌合させた突起を溶融することによって本体基部と外カバーを結合させることを特徴とするレンズ付きフイルムユニット。
【請求項２】
前記突起をフイルムロール室と前記カートリッジ室とのいずれか一方の外壁、または両方の外壁のそれぞれに一体に形成し、外カバーが本体基部から取り外されると、フイルムロール室とカートリッジ室とのいずれか一方、または両方の外壁が、外光が侵入するように破壊されることを特徴とする請求項１記載のレンズ付きフイルムユニット。
【請求項３】
前記突起の内部を中空にしたことを特徴とする請求項１または２記載のレンズ付きフイルムユニット。
【発明の詳細な説明】
【０００１】
【発明の属する技術分野】
本発明はレンズ付きフイルムユニットに関するものであり、さらに詳しくは、レンズ付きフイルムユニットの本体基部への前カバーと後カバーの取り付けに関するものである。
【０００２】
【従来の技術】
写真フイルムとパトローネとが予め装填され、簡単な撮影機構が組み込まれたレンズ突きフイルムユニットが本出願人より製造販売されている。このレンズ付きフイルムユニットは、撮影レンズやシャッタ機構、フイルム巻き止め機構、ファインダ光学系等がユニット化された露光ユニットと、この露光ユニットが前面に取り付けられるとともに写真フイルムが装填される本体基部と、この本体基部を覆うように取り付けられる外カバーである前カバー及び後カバーとから構成される。
【０００３】
使用済みレンズ付きフイルムユニットは、製造メーカーによって回収され、構成部品ごとリユース又はリサイクルされる。このように、リサイクル等を前提としてレンズ付きフイルムユニットは製造されているため、回収後、分解できるように前カバー及び後カバーは本体基部に爪止めで取り付けられている。
【０００４】
【発明が解決しようとする課題】
しかしながら、前カバー及び後カバーに設けた爪と本体基部の爪とを係合させ、爪止めすると、レンズ付きフイルムユニットを分解する際、前カバー及び後カバーに形成された爪を本体基部から一ヶ所ずつ外す必要があり労力がかかった。また、爪を形成するために金型が複雑になり、コストアップの要因となっていた。
【０００５】
さらに、爪結合の場合、ユーザーなどが前カバーと後カバーを取り外し、構成部品を取り替えた後、再び前カバーと後カバーを組み付けて再使用することが可能であったため、レンズ付きフイルムユニットの不正規な再使用を防ぐことができなかった。
【０００６】
本発明は、上記問題点を考慮してなされたもので、分解性が良好で、さらに不適正な再使用を防ぐことができるようにしたレンズ付きフイルムユニットを提供することを目的とする。
【０００７】
【課題を解決するための手段】
上記目的を達成するために、本発明のレンズ付きフイルムユニットは、レンズ付きフイルムユニットの本体基部に外カバーに向かって突出した突起を一体に形成し、外カバーに突起が嵌合するように形成された開口を設け、この開口に嵌合させた突起を溶融することによって本体基部と外カバーを結合させたものである。
【０００８】
また、前記突起をフイルムロール室と前記カートリッジ室とのいずれか一方の外壁、または両方の外壁のそれぞれに一体に形成し、外カバーが本体基部から取り外されると、フイルムロール室とカートリッジ室とのいずれか一方、または両方の外壁が、外光が侵入するように破壊されるようにしたものである。さらに、前記突起の内部を中空にすることで、突起を破壊し易くした。
【０００９】
【発明の実施の形態】
図１は、本発明を実施したレンズ付きフイルムユニットの外観斜視図で、図２は分解斜視図である。レンズ付きフイルムユニット２は、予め写真フイルムカートリッジ１４が装填され各種撮影機構が組み込まれたユニット本体３と、外装ラベル４とから構成されている。
【００１０】
ユニット本体３の上面には、シャッタボタン６、前面には撮影レンズ９、ファインダ８が設けられている。また、背面からは１コマの撮影毎に回転操作される巻上げノブ１０が露呈されている。外装ラベル４は、ユニット本体３の中央部分に巻かれるように貼付されて、撮影レンズ９やファインダ８等を外部に露呈させる開口が形成されている。また、外装ラベル４にはレンズ付きフイルムユニット２の使用方法や、特徴に関する説明が記されている。
【００１１】
図２に示すように、ユニット本体３は、未露光の写真フイルム１２と略円柱形状のカートリッジ本体１３とからなる写真フイルムカートリッジ１４が装填される本体基部１５と、この本体基部１５の前面に組み付けられる露光ユニット１６と、本体基部１５の前面側及び背面側を覆うように組み付けられる前カバー１７及び後カバー１８とから構成されている。
【００１２】
本体基部１５の両側部には写真フイルムカートリッジ１４のカートリッジ本体１３を収納するカートリッジ室２１と、カートリッジ本体１３から写真フイルム１２を引き出してロール状にしたフイルムロール１９を収納するフイルムロール室２３がそれぞれ一体に設けられている。カートリッジ室２１の上面には、カートリッジ本体１３のスプールに係合する係合軸が一体に形成された巻上げノブ１０が回動自在に取り付けられる。本体基部１５の前面側中央部には、前面に組み付けられた露光ユニット１６から写真フイルム１２までの間の撮影光路を遮光する遮光筒２０が設けられている。この遮光筒２０の前面側には露光開口２０ａが形成されている。
【００１３】
図２、図３に示すようにカートリッジ室２１及びフイルムロール室２３の前面には、前カバー１７に向かって突出するとともに中空部３１ａを備えた突起３１が形成されている。また、前カバー１７には開口３２が形成されている。図４はカートリッジ室２１の突起３１を前カバー１７の開口３２に係合させた状態を示す断面図である。開口３２は、開口部３２ａと段差部３２ｂとから構成されている。開口部３２ａは突起３１が貫入可能な大きさに形成され、先端部分が開口部３２ａからユニット本体３外部に露呈される。そして、前カバー１７を、突起３１と開口３２を利用してかしめる際には、突起３１の外部に露呈された部分に熱かしめヘッド３３を押し当てることにより行う。
【００１４】
本体基部１５の背面には、上方に２箇所、下方に１箇所、突起３１と同様に形成された突起３０が後カバー１８に向かって突出している。開口３２と同様に、開口部と段差部とから構成されている開口３４が後カバー１８に形成されている。その開口部は突起３０が貫入可能な大きさに形成され、先端部分が開口部からユニット本体３外部に露呈される。そして、後カバー１８を、突起３０と開口３４を利用してかしめる際には、突起３０の外部に露呈された部分に熱かしめヘッド３３を押し当てることにより行う。
【００１５】
次に、上記実施形態の作用について説明する。ベルトコンベアなどで搬送されてきた本体基部１５に前カバー１７を嵌め合わせる。この時、開口３２から突起３１が突出する。ここで、図４、図５に示すように、カートリッジ室２１の外壁３６に形成された突起３１の開口部３２ａから突き出した部分に熱かしめヘッド３３を押し当てることにによって、溶融された樹脂が段差部３２ｂに流れ込み、冷却されると突起３１の先端部にはかしめ頭３５が形成される。これにより、前カバー１７は、かしめ頭３５とカートリッジ室２１の外壁３６によってかしめられる。同様にして、フイルムロール室２３に設けられた突起３１の先端部にもかしめ頭３５が形成され、前カバーを、そのかしめ頭３５とフイルムロール室２３の外壁によってかしめる。このようにして前カバー１７と本体基部１５を結合させる。
【００１６】
次にカートリッジ本体１３がカートリッジ室２１に装填されるとともに、カートリッジ本体１３から引き出されてロール上に巻かれたフイルムロール１９がフイルムロール室２３に装填される。この後、本体基部１５に後カバー１８を嵌め合わせる。この時、前カバー１７と同様に、後カバー１８に形成された開口３４から突起３０が突出する。
【００１７】
前カバー１７を本体基部１５に結合させた方法と同様にして、後カバー１８も本体基部１５の背面に本体基部１５と一体にして形成した突起３０と後カバー１８に形成した開口３４とを利用してかしめ、後カバー１８と本体基部１５を結合させる。
【００１８】
このように構成することで、レンズ付きフイルムユニット２を分解する際には、図６に示すように、前カバー１７を取り外すように外力を加えると（図６の矢印を参照）、外壁３６と一体に形成されているかしめ頭３５が破壊され、前カバー１７が取り外される。また、後カバー１８についても、前カバー１７と同様に取り外すことができる。かしめ頭３５を破壊するだけの外力を加えれば簡単に前カバー１７と後カバー１８を取り外すことができるため、従来のような、爪結合を解除する煩わしさを感じることなく、前カバー１７と後カバー１８を本体基部１５から取り外すことが可能となる。
【００１９】
さらに、突起３１をカートリッジ室２１及びフイルムロール室２３の外壁に一体にして形成してあるため、図６のように、突起３１の先端部に形成されたかしめ頭３５が破壊されると、カートリッジ室２１とフイルムロール室２３に外光が侵入するような穴が生じ、遮光性が損なわれるようになっている。仮に未露光の写真フイルムが備えられたカートリッジを再装填したところでレンズ付きフイルムユニット２を再び使用することはできなくなる。これにより、ユーザーによるレンズ付きフイルムユニットの再使用を防ぐことができる。
【００２０】
従来は、前カバー１７と後カバー１８はそれぞれ爪結合によって本体基部１５に取り付けられていた。しかし、本発明のように、前カバー１７と後カバー１８を本体基部に結合させるようにすれば、従来の爪結合で用いられていた爪を設ける必要がなくなる。つまり、金型を製作する上で、比較的、困難な箇所である爪を作る必要がなくなる。爪の代わりに、かしめ結合に利用される単純な形状をした突起と、その突起が貫入できるだけの開口を作るだけなので、金型構造を単純にすることができ、金型製作に費やす時間を短縮することができる。さらに、成形した場合、従来の金型構造であれば、成形された爪にはバリが発生しやすかった。しかし、本発明のレンズ付きフイルムユニットにおいては、爪を設ける必要がないため、爪に発生するバリを気にする必要がなく、成形品の検査も行い易くなる。以上のことから、製造の効率化を図ることができる。
【００２１】
なお、突起３０、３１は中空としたが、これは前カバー１７又は後カバー１８を取り外すような外力を加えた際に、かしめ頭３５の中央部に歪みを生じ易くさせ、かしめ頭３５を破壊し易くするために設けたものであって、突起の形状はこれに限ることなく、本発明の範囲内において形状を種々変更できることは勿論である。
【００２２】
【発明の効果】
以上のように、本発明のレンズ付きフイルムユニットによれば、本体基部に外カバーを取り付ける工程において、本体基部に中空の突起を設け、外カバーに前記突起が貫入可能な開口を設け、開口に貫入させた突起を溶融することでかしめ頭を形成し、外カバーを本体基部の外壁とかしめ頭を利用してかしめたので、外カバーを取り外す際には、かしめ頭を破壊する程度の外力を外カバーに加えることで、容易に外カバーを外すことが可能となる。また、前記突起をカートリッジ室またはフイルムロール室に設けた場合、かしめ頭が破壊されると、カートリッジ室またはフイルムロール室の遮光性が損なわれるので、レンズ付きフイルムユニットの再使用を防止することができる。
【図面の簡単な説明】
【図１】本発明を実施したレンズ付きフイルムユニットの外観を示す斜視図である。
【図２】ユニット本体の構成を示す分解斜視図である。
【図３】レンズ付きフイルムユニットを上方から見た断面図である。
【図４】カートリッジ室の突起と前カバーの開口とを示す断面図である。
【図５】突起の先端部をかしめ頭にした状態を示す断面図である。
【図６】前カバーを取り外した際にかしめ頭が破壊された状態を示す断面図である。
【符号の説明】
２　レンズ付きフイルムユニット
３　ユニット本体
１５　本体基部
１７　前カバー
１８　後カバー
２１　カートリッジ室
２３　フイルムロール室
３０　突起
３１　突起
３２　開口
３２ａ　開口部
３２ｂ　段差部
３４　開口
３５　かしめ頭
３６　外壁
【図１】
2004126188.tif 000003
【図２】
2004126188.tif 000004
【図３】
2004126188.tif 000005
【図４】
2004126188.tif 000006
【図５】
2004126188.tif 000007
【図６】
2004126188.tif 000008